(57)【要約】      （修正有）【課題】端末器間の信号伝送における伝送損失の低減を図る。【解決手段】インターホンシステムにおける複数の分岐器３は、幹線Ｌ１が接続される幹線端子Ｔ１ａ、Ｔ１ｂ、Ｔ１ａ´、Ｔ１ｂ´と、分岐線Ｌ２が接続される分岐線端子Ｔ２ａ、Ｔ２ｂと、端末器から分岐線Ｌ２を経由して送信されてくる分岐線側伝送信号Ｓ１を検知する送信信号検知回路３１と、幹線を経由してくる幹線側伝送信号Ｓ２の受信経路、分岐線側伝送信号Ｓ１を幹線端子に送出する送信経路、及び幹線に介在する送信信号出力インピーダンス可変回路３２ａとを備えている。また、送信信号検知回路３１は、複数の端末器のうち何れか１つから主装置に対し送信される分岐線側伝送信号Ｓ１を検知している間、幹線Ｌ１の特性インピーダンスで分岐線側伝送信号Ｓ１を送出するために送信信号出力インピーダンス可変回路３２ａを制御する機能を備えている。【選択図】図２
2015073173.tif 000002
【特許請求の範囲】
【請求項１】
主装置から延線される幹線と、前記幹線から分岐されて複数の端末器にそれぞれ接続される複数の分岐線と、前記主装置及び前記端末器間で信号伝送を行うにあたり前記幹線及び前記複数の分岐線間にそれぞれ挿入される複数の分岐器とを有するインターホンシステムであって、
前記複数の分岐器は、前記幹線が接続される幹線端子と、前記分岐線が接続される分岐線端子と、前記端末器から前記分岐線を経由して送信されてくる分岐線側伝送信号を検知する送信信号検知手段と、前記幹線端子及び前記分岐線端子間に形成される信号経路であって前記幹線を経由して送信されてくる幹線側伝送信号の受信経路及び前記分岐線側伝送信号の送信経路のうち前記送信経路を経由して前記幹線端子に前記分岐線側伝送信号を送出し、前記幹線に介在する送信信号出力インピーダンス可変手段とを備え、
前記送信信号検知手段は、前記複数の端末器のうち何れか１つから前記主装置に対し送信される前記分岐線側伝送信号を検知している間、前記幹線の特性インピーダンスで前記分岐線側伝送信号を送出するために前記送信信号出力インピーダンス可変手段を制御する制御信号を出力する機能を備えることを特徴とするインターホンシステム。
【請求項２】
前記送信信号検知手段は、前記分岐線側伝送信号が検知処理するために必要な時間分、前記送信信号出力インピーダンス可変手段への前記分岐線側伝送信号の入力を遅延させる前記制御信号を出力する機能を備えることを特徴とする請求項１記載のインターホンシステム。
【請求項３】
前記分岐器は、前記幹線端子から前記受信経路を経由して受信され前記分岐線端子に送出される前記幹線側伝送信号を検知する受信信号検知手段と、前記幹線側伝送信号を増幅する伝送信号増幅手段と、前記伝送信号増幅手段による増幅利得を制御する利得制御手段とを備えることを特徴とする請求項１又は請求項２記載のインターホンシステム。
【請求項４】
前記伝送信号増幅手段は、前記受信信号検知手段で検知される前記幹線側伝送信号の減衰量を検知し、前記減衰量が所定の閾値レベル以上であったとき、前記分岐線端子への前記幹線側伝送信号の送出を停止する機能を備えることを特徴とする請求項３記載のインターホンシステム。
【請求項５】
前記利得制御手段は、前記受信信号検知手段で検知される前記幹線側伝送信号の減衰量が所定の閾値レベル未満であったとき、前記伝送信号増幅手段の利得を可変する機能を備えることを特徴とする請求項３又は請求項４記載のインターホン伝送装置。
【請求項６】
前記伝送信号増幅手段は、前記利得制御手段の利得レベルに対応させて前記幹線側伝送信号の波形補正を実行するイコライザ機能を備えることを特徴とする請求項３乃至請求項５のうち何れか１項記載のインターホンシステム。
【発明の詳細な説明】
【技術分野】
【０００１】
本発明は、インターホンシステムに係り、特に、幹線と分岐線との分岐点に挿入される分岐器を備えるインターホンシステムに関する。
【背景技術】
【０００２】
従来から、この種のインターホンシステムとして、図４に示すように、主装置１０から延線される幹線Ｌ1０と、幹線Ｌ１０から分岐されて複数の端末器２０ａ、２０ｂ、・・・、２０ｎにそれぞれ接続される複数の分岐線Ｌ２０ａ、Ｌ２０ｂ、・・・、Ｌ２０ｎと、主装置１０及び端末器２０ａ、２０ｂ、・・・、２０ｎ間で信号伝送を行うにあたり幹線Ｌ１０及び複数の分岐線Ｌ２０ａ、Ｌ２０ｂ、・・・、Ｌ２０ｎ間にそれぞれ挿入される複数の分岐器３０ａ、３０ｂ、・・・、３０ｎとを有するインターホンシステムが知られている（例えば、特許文献１等）。なお、以下の説明では、複数の端末器２０ａ、２０ｂ、・・・、２０ｎ、複数の分岐線Ｌ２０ａ、Ｌ２０ｂ、・・・、Ｌ２０ｎ、複数の端末器２０ａ、２０ｂ、・・・、２０ｎのそれぞれを単一のものとして区別するときは、説明を簡単にするため、単に、「端末器２０」「分岐線Ｌ２０」および「分岐器３０」として説明する。
【０００３】
このような構成のインターホンシステムにおいては、一般的に、幹線Ｌ１０と分岐線Ｌ２０との各分岐点にそれぞれ分岐器３０を挿入することで、インピーダンスの不整合（ミスマッチ）による伝送信号の反射等の影響を抑制することが行われている。
【０００４】
ここで、分岐器３０を用いて反射等の影響を抑制するためには、以下の２つの条件を満たすように設計する必要がある。
【０００５】
第１に、分岐器３０に接続された端末器２０での伝送信号の受信時において、幹線Ｌ１０側から分岐線Ｌ２０側を見たときのインピーダンスが伝送線路の特性インピーダンスよりも高くなっていることが必要である。
【０００６】
第２に、分岐器３０に接続された端末器２０からの伝送信号の送信時において、分岐線Ｌ２０側から幹線Ｌ１０側を見たときのインピーダンスが伝送線路の特性インピーダンスと一致していることが必要である。
【０００７】
図５は、上記の条件を満たす分岐器３０の構成例を示している。
【０００８】
同図において、分岐器３０は、上流側（図５の左側）の幹線Ｌ１０が接続される幹線端子Ｔ１０ａ、Ｔ１０ｂと、下流側（図５の右側）の幹線Ｌ１０が接続される幹線端子Ｔ１０ａ´、Ｔ１０ｂ´と、分岐線Ｌ２０が接続される分岐線端子Ｔ２０ａ、Ｔ２０ｂとを備えており、これらの幹線端子Ｔ１０ａ、Ｔ１０ｂ、Ｔ１０ａ´、Ｔ１０ｂ´と分岐線端子Ｔ２０ａ、Ｔ２０ｂとの間には幹線端子Ｔ１０ａ、Ｔ１０ｂ、Ｔ１０ａ´、Ｔ１０ｂ´側を１次巻線、分岐線端子Ｔ２０ａ、Ｔ２０ｂ側を２次巻線とするトランスＴｒ１０が接続されている。また、各幹線端子Ｔ１０ａ、Ｔ１０ｂ、Ｔ１０ａ´、Ｔ１０ｂ´とトランスＴｒ１０の１次巻線との間にはそれぞれ抵抗Ｒ１、Ｒ２が接続されている。
【０００９】
なお、この分岐器３０は幹線Ｌ１０における分岐線Ｌ２０の分岐点となる各部位に挿入される形で接続されるので、幹線端子Ｔ１０ａ、Ｔ１０ｂ、Ｔ１０ａ´、Ｔ１０ｂ´は、幹線Ｌ１０の上流側と幹線Ｌ１０の下流側とのそれぞれに対応して２組設けられており、上流側の幹線端子Ｔ１０ａ、Ｔ１０ｂと下流側の幹線端子Ｔ１０ａ´、Ｔ１０ｂ´とが互いに接続されている。また、端末器２０を分岐線Ｌ２０の先端に接続する場合には、通常、端末器２０は伝送線路とのインピーダンス整合（インピーダンスマッチング）を実現するために、伝送線路の特性インピーダンスに近いインピーダンスに設定されている。
【００１０】
ここで、上記の第１の条件を満たすためには、トランスＴｒ１０の１次巻線の巻数Ｎ１と２次巻線の巻数Ｎ２との比である巻数比ｎ（＝Ｎ１／Ｎ２）を、ｎ＞１（つまり、Ｎ１＞Ｎ２）とする必要がある。このとき、幹線Ｌ１０側から見た分岐線Ｌ２０側のインピーダンスＺ１は、Ｚ１＝ｎ２×Ｚａ＋ｒ１＋ｒ２となる。なお、Ｚａは伝送線路の特性インピーダンス、ｒ１、ｒ２はそれぞれ抵抗Ｒ１、Ｒ２の抵抗値を表している。
【００１１】
また、分岐線Ｌ２０側から見た幹線Ｌ１０側のインピーダンスＺ２は、Ｚ２＝（１／ｎ）２×（ｒ１＋ｒ２＋Ｚａ／２）で表されるので、上記の第２の条件を満たすためには、抵抗Ｒ１、Ｒ２の抵抗値ｒ１、ｒ２は、次の式を満たす必要がある。
【００１２】
Ｚａ≒（１／ｎ）２×（ｒ１＋ｒ２＋Ｚａ／２）
【先行技術文献】
【特許文献】
【００１３】
【特許文献１】特開平１０−３０３９５１号公報
【発明の概要】
【発明が解決しようとする課題】
【００１４】
ところで、このような構成の分岐器３０においては、図６（ａ）に示すように上流側の幹線Ｌ１０−下流側の幹線Ｌ１０間をエネルギが通過するときの通過損失ＢＬ１と、幹線Ｌ１０−分岐線Ｌ２０間をエネルギが通過するときの分岐損失ＢＬ２との関係は、一般的には図６（ｂ）に示すように、ＢＬ１≪ＢＬ２となるため、分岐器３０を介して幹線Ｌ１０−分岐線Ｌ２０間をエネルギが通過する際に比較的大きな伝送損失（ロス）が生じる。
【００１５】
ここで、このような構成のインターホンシステムにおける伝送システムにおいて、例えば第１の端末器２０ａから最後段の端末器２０ｎへ伝送信号を送信する場合を例として考えると、伝送信号の伝送損失は、反射等の影響がないものとして、第１の分岐線Ｌ２０ａを通過する際のロス（ケーブル損失）と、第１の分岐器３０ａを分岐線端子Ｔ２０ａ、Ｔ２０ｂ側から下流側の幹線端子Ｔ１０ａ´、Ｔ１０ｂ´側へ通過する際の分岐損失と、第１の分岐器３０ａ−最後段の分岐器３０ｎ間に存在する分岐器３０ｂ、・・・、３０ｎを通過する際の通過損失と、第１の分岐器３０ａ−最後段の分岐器３０ｎ間に存在する幹線Ｌ１０でのケーブル損失と、最後段の分岐器３０ｎを上流側の幹線端子Ｔ１０ａ、Ｔ１０ｂ側から分岐線端子Ｔ２０ａ、Ｔ２０ｂ側へ通過する際の分岐損失と、最後段の分岐線Ｌ２０ｎを通過する際のケーブル損失とを足し合わせたものになる。
【００１６】
従って、複数の分岐器３０ａ、３０ｂ、・・・、３０ｎを用いた接続形態では、インピーダンスの不整合による影響を抑制できるという利点がある反面、別々の分岐線Ｌ２０ａ、Ｌ２０ｂ、・・・、Ｌ２０ｎに接続された端末器２０ａ、２０ｂ、・・・、２０ｎ間の信号伝送においては、常に、伝送信号を送信する側の端末器２が接続された分岐器３０と、伝送信号を受信する側の端末器２０が接続された分岐器３０との２箇所で分岐損失ＢＬ２が生じ、ひいては伝送損失が大きくなるという難点があった。
【００１７】
本発明は、このような難点を解決するためになされたもので、端末器間の信号伝送における伝送損失を低減することができるインターホンシステムを提供することを目的としている。
【課題を解決するための手段】
【００１８】
本発明の第１の態様のインターホンシステムは、主装置から延線される幹線と、幹線から分岐されて複数の端末器にそれぞれ接続される複数の分岐線と、主装置及び端末器間で信号伝送を行うにあたり幹線及び複数の分岐線間にそれぞれ挿入される複数の分岐器とを有するインターホンシステムであって、複数の分岐器は、幹線が接続される幹線端子と、分岐線が接続される分岐線端子と、端末器から分岐線を経由して送信されてくる分岐線側伝送信号を検知する送信信号検知手段と、幹線端子及び分岐線端子間に形成される信号経路であって幹線を経由して送信されてくる幹線側伝送信号の受信経路及び分岐線側伝送信号の送信経路のうち送信経路を経由して幹線端子に分岐線側伝送信号を送出し、幹線に介在する送信信号出力インピーダンス可変手段とを備え、送信信号検知手段は、複数の端末器のうち何れか１つから主装置に対し送信される分岐線側伝送信号を検知している間、幹線の特性インピーダンスで分岐線側伝送信号を送出するために送信信号出力インピーダンス可変手段を制御する制御信号を出力する機能を備えるものである。
【００１９】
本発明の第２の態様のインターホンシステムは、第１の態様であるインターホンシステムにおいて、送信信号検知手段は、分岐線側伝送信号が検知処理するために必要な時間分、送信信号出力インピーダンス可変手段への分岐線側伝送信号の入力を遅延させる制御信号を出力する機能を備えるものである。
【００２０】
本発明の第３の態様のインターホンシステムは、第１の態様または第２の態様であるインターホンシステムにおいて、分岐器は、幹線端子から受信経路を経由して受信され分岐線端子に送出される幹線側伝送信号を検知する受信信号検知手段と、幹線側伝送信号を増幅する伝送信号増幅手段と、伝送信号増幅手段の利得を制御する利得制御手段とを備えるものである。
【００２１】
本発明の第４の態様のインターホンシステムは、第３の態様であるインターホンシステムにおいて、伝送信号増幅手段は、受信信号検知手段で検知される幹線側伝送信号の減衰量を検知し、減衰量が所定の閾値レベル以上であったとき、分岐線端子への幹線側伝送信号の送出を停止する機能を備えるものである。
【００２２】
本発明の第５の態様のインターホンシステムは、第３の態様または第４の態様であるインターホンシステムにおいて、利得制御手段は、受信信号検知手段で検知される幹線側伝送信号の減衰量が所定の閾値レベル未満であったとき、伝送信号増幅手段の利得を可変する機能を備えるものである。
【００２３】
本発明の第６の態様のインターホンシステムは、第３の態様乃至第５の態様の何れかの態様であるインターホンシステムにおいて、伝送信号増幅手段は、利得制御手段の利得レベルに対応させて幹線側伝送信号の波形補正を実行するイコライザ機能を備えるものである。
【発明の効果】
【００２４】
本発明のインターホンシステムによれば、分岐器３に搭載された送信信号検知手段（送信信号検知回路）や送信信号出力インピーダンス可変手段（送信信号出力インピーダンス可変回路）によって、端末器から分岐線を経由して送信されてくる分岐線側伝送信号を検知することで、端末器から主装置に対し送信される分岐線側伝送信号を検知している間、幹線の特性インピーダンスで分岐線側伝送信号を送出することができる。従って、本発明のインターホンシステムによれば、端末器からの伝送信号の送信時には受信経路よりも伝送損失の少ない送信経路に通過させることができるので、端末器間での伝送損失を低減することができる。
【図面の簡単な説明】
【００２５】
【図１】本発明の一実施例におけるインターホンシステムの全体構成を示すブロック図。
【図２】本発明の一実施例における分岐器のブロック図。
【図３】本発明の一実施例における幹線側伝送信号の波形整形の状態を示す説明図。
【図４】従来のインターホンシステムの全体構成を示すブロック図。
【図５】従来のインターホンシステムにおける分岐器のブロック図。
【図６】従来の分岐器における上流側の幹線−下流側の幹線間をエネルギが通過するときの通過損失と、幹線−分岐線間をエネルギが通過するときの分岐損失との関係を示す説明図。
【発明を実施するための形態】
【００２６】
以下、本発明のインターホンシステムを適用した最良の実施の形態例について、図面を参照して説明する。
［実施例１］
図１は、本発明の一実施例におけるマンション等の集合住宅に設置されるインターホンシステムの全体構成を示すブロック図である。
【００２７】
本発明のインターホンシステムは、集合玄関機としての主装置１から延線される平衡線路（ペア線）からなる幹線Ｌ1と、幹線から分岐されて複数の居室親機としての端末器２ａ、２ｂ、・・・、２ｎにそれぞれ接続される複数の平衡線路（ペア線）からなる分岐線Ｌ２ａ、Ｌ２ｂ・・・、Ｌ２ｎと、主装置１及び端末器２ａ、２ｂ、・・・、２ｎ間で信号伝送を行うにあたり幹線Ｌ１及び複数の分岐線Ｌ２ａ、Ｌ２ｂ、・・・、Ｌ２ｎ間にそれぞれ挿入される複数の分岐器３ａ、３ｂ、・・・、３ｎとを備えている。なお、以下の実施例では、複数の端末機２ａ、２ｂ、・・・、２ｎ、複数の分岐器３ａ、３ｂ、・・・、３ｎ、複数の分岐線Ｌ２ａ、Ｌ２ｂ、・・・、Ｌ２ｎのそれぞれを単一のものとして区別するときは、説明を簡単にするため、単に、「端末機２」、「分岐器３」、「分岐線Ｌ２」として説明する。
【００２８】
図２は、本発明の一実施例における複数の分岐器のブロック図を示している。
【００２９】
同図において、複数の分岐器３は、それぞれ同様の構成とされ、それぞれ幹線Ｌ１が接続される幹線端子Ｔ１ａ、Ｔ１ｂ、Ｔ１ａ´、Ｔ１ｂ´（以下、上流側の幹線端子Ｔ１ａ、Ｔ１ｂと下流側の幹線端子Ｔ１ａ´、Ｔ１ｂ´は電気的に等価であるから、以下の実施例では、特に区別しないときには単に幹線端子「Ｔ１Ａ、Ｔ１Ｂ」として説明する。）と、分岐線Ｌ２ａ、Ｌ２ｂ・・・、Ｌ２ｎが接続される分岐線端子Ｔ２ａ、Ｔ２ｂと、端末器２から分岐線Ｌ２を経由して送信されてくる分岐線側伝送信号Ｓ１を検知する送信信号検知手段としての送信信号検知回路３１と、分岐線側伝送信号Ｓ１を幹線Ｌ１に出力するための送信信号出力手段としての送信信号出力回路３２と、幹線端子Ｔ１Ａ、Ｔ１Ｂから受信経路を経由して受信され分岐線端子Ｔ２ａ、Ｔ２ｂに送出される幹線側伝送信号Ｓ２を検知する受信信号検知手段としての受信信号検知回路３３と、幹線側伝送信号Ｓ２を増幅する伝送信号増幅手段としての受信信号増幅回路３４と、受信信号増幅回路３４の増幅利得を制御する利得制御手段としての利得制御回路３５と、幹線端子Ｔ１Ａ、Ｔ１Ｂ側を一次巻線、分岐線端子Ｔ２ａ、Ｔ２ｂ側を二次巻線とするトランスＴｒ１とを備えている。また、送信信号出力回路３２は、後述する幹線端子Ｔ１Ａ、Ｔ１Ｂ及び分岐線端子Ｔ２ａ、Ｔ２ｂ間に形成される信号経路であって幹線Ｌ１を経由して送信されてくる幹線側伝送信号Ｓ２の受信経路及び分岐線側伝送信号Ｓ１の送信経路のうち送信経路を経由して幹線端子Ｔ１Ａ、Ｔ１Ｂに分岐線側伝送信号Ｓ１を送出し、幹線Ｌ１に介在する送信信号出力インピーダンス可変手段としての送信信号出力インピーダンス可変回路３２ａを備えている。
【００３０】
ここで、送信信号検知回路３１は、後述するように、複数の端末器２ａ、２ｂ、・・・、２ｎのうち何れか１つから主装置１に対し送信される分岐線側伝送信号Ｓ１を検知している間、幹線Ｌ１の特性インピーダンスで分岐線側伝送信号Ｓ１を送出するために送信信号出力インピーダンス可変回路３１ａを制御する制御信号を出力する機能や分岐線側伝送信号Ｓ１が検知処理するために必要な時間分、送信信号出力インピーダンス可変手段としての送信信号出力インピーダンス可変回路３１ａへの分岐線側伝送信号Ｓ１の入力を遅延させる制御信号を出力する機能を備えている。また、受信信号増幅回路３４は、後述するように、受信信号検知回路３３で検知される幹線側伝送信号Ｓ２の減衰量を検知し、減衰量が所定の閾値レベル以上であったとき、分岐線端子Ｔ２ａ、Ｔ２ｂへの幹線側伝送信号Ｓ２の送出を停止する機能や利得制御回路３５の利得レベルに対応させて幹線側伝送信号Ｓ２の波形補正を実行するイコライザ機能を備えている。さらに、利得制御回路３５は、後述するように受信信号検知回路３３で検知される幹線側伝送信号Ｓ２の減衰量が所定の閾値レベル未満であったとき、受信信号増幅回路３４の増幅利得を可変する機能を備えている。
【００３１】
なお、幹線側伝送信号として例えば、フレーム毎に伝送される信号の一形態として、その信号を構成する複数のスロットのうち、所定のスロットに、集合玄関機から特定の居室親機への呼出しがあることを示す呼出データ、集合玄関機の撮像機能で生成される映像データ、集合玄関機の通話機能で生成される通話データがそれぞれ組込まれている。また、分岐線側伝送信号として例えば、フレーム毎に伝送される信号の一形態として、その信号を構成する複数のスロットのうち、所定のスロットに、集合玄関機から特定の居室親機への呼出しに当該居室親機が応答したことを示す応答データ、特定の居室親機の通話機能で生成される音声データがそれぞれ組込まれている。
【００３２】
次に、このように構成された本発明の一実施例におけるインターホンシステムの具体的な動作について説明する。なお、本発明の実施例において、住戸玄関に居る来訪者が玄関子機（不図示）を使用して所定の呼出操作を行い、この玄関呼出しを検出した居室親機としての端末器２の信号処理部（不図示）の制御による所定の呼出報知動作、及び居住者が端末器２の操作部（不図示）を使用して所定の応答操作を行い来訪者との間で通話を成立させる動作はそれぞれ、インターホン通信分野において周知な技術であるため、説明は省略する。
【００３３】
先ず、本発明の第１の実施例におけるインターホンシステムにおいては、前述の分岐器３の各回路のうち、少なくとも送信信号検知回路３１および送信信号出力インピーダンス可変回路３２ａを備えている。
【００３４】
このように構成された伝送システムにおいては、幹線Ｌ１と当該幹線Ｌ１から分岐された複数の分岐線Ｌ２とを含む伝送線路と、各分岐線路Ｌ２の先端に接続された複数台の端末器２とを備え、これら複数台の端末器２間で伝送線路を介して信号伝送が行われる。
【００３５】
ここで、端末器２を分岐線Ｌ２の先端に接続する場合には、通常、端末器２は伝送線路とのインピーダンス整合（インピーダンス・マッチング）を実現するために、伝送線路の特性インピーダンスに近いインピーダンスに設定されている。
【００３６】
分岐器３は、伝送線路を構成する幹線Ｌ１と分岐線Ｌ２との各分岐点にそれぞれ挿入され、インピーダンス不整合による伝送信号の反射等の影響を抑制する。
【００３７】
ここで、幹線Ｌ１および分岐線Ｌ２はペア線からなるので、上流側の幹線端子Ｔ１ａ、Ｔ１ｂ、下流側の幹線端子Ｔ１ａ´、Ｔ１ｂ´および分岐線端子Ｔ２ａ、Ｔ２ｂはそれぞれ２個１組として設けられている。さらに、この分岐器３は幹線Ｌ１の分岐線Ｌ２の分岐点となる各部位に挿入される形で接続されるので、幹線端子Ｔ１ａ、Ｔ１ｂ、Ｔ１ａ´、Ｔ１ｂ´は幹線Ｌ１の上流側（図１の左側）と幹線Ｌ１の下流側（図２の右側）とのそれぞれに対応して２組設けられており、上流側の端子Ｔ１ａ、Ｔ１ｂと下流側の端子Ｔ１ａ´、Ｔ１ｂ´とが互いに接続されている。
【００３８】
ここで、幹線端子Ｔ１Ａ、Ｔ１Ｂと分岐線端子Ｔ２ａ、Ｔ２ｂとの間には、次に述べるように、端末器２で送受信される伝送信号を通す経路として送信経路Ｔｘ１と、受信経路Ｒｘ１との２つの経路が形成される。
【００３９】
送信経路Ｔｘ１は、分岐線側伝送信号Ｓ１を幹線Ｌ１に出力するための送信信号出力手段としての送信信号出力回路３２と、分岐線側伝送信号Ｓ１を検知するための送信信号検知回路３１とを備えている。
【００４０】
具体的には、送信経路Ｔｘ１の送信信号出力回路３２の出力インピーダンスは、分岐線側伝送信号Ｓ１を送信するときは幹線Ｌ１の特性インピーダンスとなり、それ以外のときは高インピーダンスに制御されるようになっている。
【００４１】
送信信号出力回路３２の制御は、送信信号検知回路３１により端末器２の分岐線側伝送信号Ｓ１の有無を検知することで行われている。
【００４２】
受信経路Ｒｘ１は、幹線端子Ｔ１Ａ、Ｔ１Ｂ側を一次巻線、分岐線端子Ｔ２ａ、Ｔ２ｂ側を二次巻線とするトランスＴｒ１を備えており、ここでは、トランスＴｒ１の一次巻線の巻数Ｎ１、二次巻線の巻数Ｎ２との比である巻線比ｎ（＝Ｎ１／Ｎ２）をｎ＞１（つまり、Ｎ１＞Ｎ２）としてある。
【００４３】
また、受信経路Ｒｘ１は幹線側伝送信号Ｓ２を検知するための受信信号検知回路３３と、幹線側伝送信号Ｓ２を増幅する受信信号増幅回路３４と、受信信号増幅回路３４の増幅利得を制御する利得制御回路３５とを備えている。
【００４４】
具体的には、受信経路Ｒｘ１の受信信号増幅回路３４は、幹線受信信号Ｓ２を受信信号検知回路３３にて信号の有無および信号振幅を検知することで、利得制御回路３５により適正信号振幅となるように利得制御がなされる。
【００４５】
以上の説明から明らかなように、本発明の第１の実施例におけるインターホンシステムによれば、分岐器３に搭載された送信信号検知手段（送信信号検知回路３１）や送信信号出力インピーダンス可変手段（送信信号出力インピーダンス可変回路３２ａ）によって、端末器２から分岐線Ｌ２を経由して送信されてくる分岐線側伝送信号Ｓ１を検知することで、端末器２から主装置１に対し送信される分岐線側伝送信号Ｓ１を検知している間、幹線Ｌ１の特性インピーダンスで分岐線側伝送信号Ｓ１を送出することができる。従って、本発明のインターホンシステムによれば、端末器２からの伝送信号の送信時には受信経路よりも伝送損失の少ない送信経路に通過させることができるので、端末器間での伝送損失を低減することができる。
【００４６】
次に、本発明のインターホンシステムの付加機能について説明する。
［実施例２］
この実施例においては、前述の第１の実施例におけるインターホンシステムに、更に、送信信号検知手段としての送信信号検知回路３１に、分岐線側伝送信号Ｓ１が検知処理するために必要な時間分（例えば、１００μｓｅｃ程度）、送信信号出力インピーダンス可変手段としての送信信号出力インピーダンス可変回路３２ａへの分岐線側伝送信号Ｓ１の入力を遅延させる制御信号を出力する機能が付加されている。
【００４７】
ここで、送信信号検知手段としての送信信号検知回路３１は、ピーク・ホールド回路、全波整流回路、半波整流回路、またはパルス・カウント回路で構成され、これらの回路で分岐線Ｌ２を経由して送信されてくる分岐線側伝送信号Ｓ１の検知を行うことができる。
【００４８】
本発明の第２の実施例におけるインターホンシステムによれば、分岐線側伝送信号Ｓ１が検知処理するために必要な時間分、送信信号出力インピーダンス可変回路３２ａへの分岐線側伝送信号Ｓ１の入力を遅延させることができることから、第１の実施例であるインターホンシステムの作用・効果に加えて、幹線Ｌ１への出力信号のいわゆる頭切れ現象の発生を防止することができる。
［実施例３］
この実施例においては、前述の第１の実施例または第２の実施例におけるインターホンシステムの分岐器３に、更に、幹線端子Ｔ１Ａ、Ｔ１Ｂから受信経路を経由して分岐線端子Ｔ２ａ、Ｔ２ｂに送出される幹線側伝送信号Ｓ２を検知する受信信号検知回路３３と、幹線側伝送信号Ｓ２を増幅する受信信号増幅回路３４と、受信信号増幅回路３４の増幅利得を制御する利得制御回路３５とが付加されている。
【００４９】
本発明の第３の実施例におけるインターホンシステムによれば、分岐器３に搭載された
受信信号検知回路３３、受信信号増幅回路３４および利得制御回路３５により、幹線側伝送信号Ｓ２の有無および大きさを検知し、幹線側伝送信号Ｓ２を増幅することができることから、第１の実施例または第２の実施例であるインターホンシステムの作用・効果に加えて、線路長に依存する線路損失や分岐器３の挿入に伴う損失に因る減衰を補償し適切な信号振幅を得ることができる。
［実施例４］
この実施例においては、前述の第３の実施例におけるインターホンシステムの伝送信号増幅手段としての受信信号増幅回路３４に、更に、受信信号検知回路３３で検知される幹線側伝送信号Ｓ２の減衰量を検知し、減衰量が所定の閾値レベル（例えば、−２１０ｄＢ程度）以上であったとき、分岐線端子Ｔ２ａ、Ｔ２ｂへの幹線側伝送信号Ｓ２の送出を停止する機能が付加されている。
【００５０】
本発明の第４の実施例におけるインターホンシステムによれば、分岐器３に搭載された受信信号増幅回路３４に、受信信号検知回路３３で検知される幹線側伝送信号Ｓ２の減衰量を検知し、減衰量が所定の閾値レベル以上であったとき、分岐線端子Ｔ２ａ、Ｔ２ｂへの幹線側伝送信号Ｓ２の送出を停止する機能が付加されていることから、第３の実施例であるインターホンシステムの作用・効果に加えて、次のような効果を奏する。すなわち、幹線側伝送信号Ｓ２として例えば、フレーム毎に伝送される信号の一形態として、その信号を構成する複数のスロットのうち、所定のスロットに、集合玄関機から特定の端末器（居室親機）２への呼出しがあることを示す呼出データ、集合玄関機の撮像機能で生成される映像データ、集合玄関機の通話機能で生成される音声データがそれぞれ組込まれているとき、この幹線側伝送信号Ｓ２の減衰量が例えば、幹線Ｌ１の線路長の長さに比例して所定の閾値レベル以上である場合、受信信号増幅回路３４を経由して増幅しても、増幅後の幹線側伝送信号Ｓ２を受信する特定の端末器（居室親機）２では、幹線側伝送信号Ｓ２に組込まれた各種データ（呼出データ、映像データ、音声データ）に基づく正常な動作を行うことができず、誤動作を発生するおそれがあるところ、第４の実施例においては、それを防止するにあたって信号の送出を停止することができる。
［実施例５］
この実施例においては、前述の第３の実施例または第４の実施例におけるインターホンシステムの利得制御手段としての利得制御回路３５に、受信信号検知手段としての受信信号検知回路３３で検知される幹線側伝送信号Ｓ２の減衰量が所定の閾値レベル（例えば、３０ｄＢ程度）未満であったとき、伝送信号増幅手段としての受信信号増幅回路３４の利得を可変する機能が付加されている。
【００５１】
本発明の第５の実施例におけるインターホンシステムによれば、分岐器３に搭載された利得制御回路３５に、受信信号検知回路３３で検知される幹線側伝送信号Ｓ２の減衰量が所定の閾値レベル未満であったとき、受信信号増幅回路３４の利得を可変する機能が付加されていることから、第３の実施例または第４の実施例であるインターホンシステムの作用・効果に加えて、次のような効果を奏する。すなわち、幹線側伝送信号Ｓ２の減衰量が例えば、幹線Ｌ１の線路長の長さに比例して所定の閾値レベル未満である場合、その減衰量に対応させた利得で受信信号増幅回路３４を経由して増幅することにより、増幅後の幹線側伝送信号Ｓ２を受信する特定の端末器（居室親機）２では、幹線側伝送信号Ｓ２に組込まれた各種データ（呼出データ、映像データ、音声データ）に基づく正常な動作を行うことができ、誤動作の発生を防止することができる。
［実施例６］
この実施例においては、前述の第３の実施例乃至第５の実施例の何れかの実施例であるインターホンシステムの伝送信号増幅手段としての受信信号増幅回路３４に、図３に示すように、利得制御手段としての利得制御回路３５の利得レベルに対応させて幹線側伝送信号Ｓ２の波形補正を実行するイコライザ機能が付加されている。
【００５２】
同図において、分図（ａ）は波形整形前の信号減衰量の特性、分図（ｂ）は波形成形後の信号減衰量の特性を示している。ここで、横軸は周波数、縦軸は利得レベルを示しており、利得レベルの高い領域、すなわち信号の減衰量が大きい領域と、利得レベルの低い領域、すなわち信号の減衰量が小さい領域は遮断帯域として遮断することで幹線側伝送信号Ｓ２における通過帯域の波形補正が図られている。
【００５３】
本発明の第６の実施例におけるインターホンシステムによれば、分岐器３に搭載された受信信号増幅回路３４に利得制御回路３５の利得レベルに対応させて幹線側伝送信号Ｓ２の波形補正を実行するイコライザ機能が付加されていることから、第３の実施例乃至第５の実施例の何れかの実施例であるインターホンシステムの作用・効果に加えて、幹線側伝送信号Ｓ２の波形補正により、幹線側伝送信号Ｓ２の平滑化を図ることができる。
【００５４】
以上、述べたように、本発明のインターホンシステムにおいては、特定の実施の形態をもって説明してきたが、この形態に限定されるものでなく、本発明の効果を奏する限り、これまで知られた如何なる構成の、インターホンシステム、例えば、次のようなインターホンシステムであっても採用できることはいうまでもないことである。
【００５５】
第１に、前述の実施例においては、幹線と分岐線との分岐点に分岐器を挿入した例について述べているが、当該分岐器に代えて分配器を挿入しても本発明と同等の効果を奏する。
【００５６】
第２に、前述の実施例においては、主装置を集合玄関機として使用する場合について述べているが、集合玄関機に制御機を接続し、当該制御機を主装置として使用しても本発明と同等の効果を奏する。
【００５７】
第３に、前述の実施例における分岐線側伝送信号Ｓ１が検知処理するために必要な時間分や幹線側伝送信号Ｓ２の減衰量が所定の閾値レベル等の数値は一例であって、これに限定されない。
【符号の説明】
【００５８】
１・・・主装置
２（２ａ、２ｂ、・・・、２ｎ）・・・端末器
３（３ａ、３ｂ、・・・、３ｎ）分岐器
３１・・・送信信号検知回路（送信信号検知手段）
３２・・・送信信号出力回路（送信信号出力手段）
３２ａ・・・送信信号出力インピーダンス可変回路
（送信信号出力インピーダンス可変手段）
３３・・・受信信号検知回路（受信信号検知手段）
３４・・・受信信号増幅回路（伝送信号増幅手段）
３５・・・利得制御回路（利得制御手段）
Ｌ１・・・幹線
Ｌ２（Ｌ２ａ、Ｌ２ｂ、・・・、Ｌ２ｎ）分岐線
Ｔ１Ａ、Ｔ１Ｂ（Ｔ１ａ、Ｔ１ｂ、Ｔ１ａ´、Ｔ１ｂ´）・・・幹線端子
Ｔ２ａ、Ｔ２ｂ・・・分岐線端子
【図１】
2015073173.tif 000003
【図２】
2015073173.tif 000004
【図４】
2015073173.tif 000005
【図５】
2015073173.tif 000006
【図３】
2015073173.tif 000007
【図６】
2015073173.tif 000008